(57)【要約】本発明は、実際の縄跳びの縄を使用せずに縄跳び運動効果を実現し、運動者（使用者）が縄跳び運動ばかりでなく走行運動を行うこともできるように構成されている縄跳び運動装置に関し、前記運動装置は、互いに間隔をおいて本体フレームに回転自在に取り付けられる第１回転軸および第２回転軸と、前記第１回転軸を回転させる第１駆動部と、前記第１回転軸および前記第２回転軸に沿って無限軌道運動するように構成されるベルトと、を含む回転ベルトユニットと；前記第１回転軸と前記第２回転軸とを接続するコード（ベルト）が地面（床面）に対して上方に傾斜するように前記本体フレームを支持するベースフレームと；その外周上に帯状に形成され、運動者（使用者）が前記回転ベルトに対向する位置で跳躍運動を行うときに前記ベルトから識別できるとともに縄跳びの縄が回っているかのように見え、かつ前記ベルトの回転方向に対して直角方向に互いに間隔をおいて設けられる複数の識別帯と、を含むことを要旨とする。【選択図】図１
2010530274.tif 000002
【特許請求の範囲】
【請求項１】
縄跳び運動装置において、互いに間隔をおいて本体フレームに回転自在に取り付けられる第１回転軸および第２回転軸と、前記第１回転軸を回転させる第１駆動部と、前記第１回転軸および前記第２回転軸に沿って無限軌道運動するように構成されるベルトと、を含む回転ベルトユニットと；前記第１回転軸と前記第２回転軸とを接続するコード（ベルト）が地面（床面）に対して上方に傾斜するように前記本体フレームを支持するベースフレームと；その外周上に帯状に形成され、運動者（使用者）が前記回転ベルトに対向する位置で跳躍運動を行うときに前記ベルトから識別できるとともに縄跳びの縄が回っているかのように見え、かつ前記ベルトの回転方向に対して直角方向に互いに間隔をおいて設けられる複数の識別帯と、からなることを特徴とする縄跳び運動装置。
【請求項２】
前記識別帯は前記ベルトの塗装に使用する第１色とは異なる第２色で塗装されことを特徴とする請求項１に記載の運動装置。
【請求項３】
前記本体フレームは、運動者（使用者）が前記本体フレームの前記ベースフレームに対する傾斜角度を制御することにより前記ベルト上で走行運動を行えるように前記ベースフレームに回転自在に連結されることを特徴とする請求項１に記載の運動装置。
【請求項４】
前記本体フレームから延出して前記ベースフレームに対して回転自在に支持されるヒンジ軸上に設けられる従動ギアを含む第２駆動部と、前記ベースフレームに設置される駆動モータと、前記駆動モータの回転軸上に設けられて前記従動ギアに係合する駆動ギアと、をさらに具備することを特徴とする請求項３に記載の運動装置。
【請求項５】
前記ベースフレームは、互いに所定の間隔をおいて互いに平行に延出する第１および第２支持部材と、前記第１および第２支持部材間に取り付けられて走行運動空間を提供するパネル状のジャンピングボードと、前記第１および第２支持部材の上面からそれぞれ所定の長さで上方に延出する第１および第２サブフレームと、を含み、前記運動装置は、前記ジャンピングボード上で走行運動中の運動者（使用者）によって握持されるように前記第１および第２サブフレームに面対向して設置されるとともに走行運動中の運動者（使用者）が回転できるように前記第１および第２サブフレームに対して伸縮可能に設置される一対のハンドルと、運動者（使用者）が縄跳びをしているかのように前記ジャンピングボード上で走行運動を行うときに前記ベルトの回転速度に応じて音響効果を付与する音響部と、をさらに具備することを特徴とする請求項３に記載の運動装置。
【請求項６】
使用者によって握持される握持部と前記握持部の端部から所定の長さで延出する回転ロープとをそのそれぞれに含む一対のハンドル部と；前記ハンドル部に設置されて、前記回転ロープの回転速度を測定する速度センサと；前記ハンドル部に設置されて、速度センサによって測定された前記回転ロープの回転速度に関する情報を送信するトランスミッターと前記トランスミッターから信号を受信するレシーバとを含むリモートトランスミッター部と；前記第１駆動部を制御して、前記レシーバから受信する信号に基づいて前記回転ロープの回転速度に応じて前記ベルトの回転速度を調整するコントローラと、をさらに具備することを特徴とする請求項１に記載の運動装置。
【発明の詳細な説明】
【技術分野】
【０００１】
本発明は縄跳び運動装置に関し、特には、実際の縄跳びの縄を使用せずに縄跳び運動効果を実現するとともに、運動者（使用者）が縄跳び運動ばかりでなく走行運動を行うこともできるように構成されている縄跳び運動装置に関する。
【背景技術】
【０００２】
「ロープスキッピング（足を交互にステップさせる縄跳び）」運動（単に「縄跳び」運動としても知られている）は、実質的に時と場所を問わずに最小限の設備で行えるため、多くの人々によって楽しまれている人気運動活動の１つであり、縄跳びでは、ロープスキッピングする運動者の足の下を縄跳びの縄が通過するたびに運動者にその縄を飛ばさせることから、縄跳び運動は運動者の心血管系の健康と肺活量を有利かつ効果的に向上させるバスケットボールや他のスポーツと同様にかなり激しい運動である。加えて、縄跳びは、運動者が上下にロープスキッピングや縄飛び運動を行うたびにさまざまな身体部位に影響を及ぼして成長板を刺激するために、子供や成長期の初期青年の身体的成長を助長することが認識されている。換言すると、縄跳びにより運動者は前足部でロープスキッピングや縄跳び運動を行うことができ、跳躍動作を行うたびに運動者の足首、腓腹筋、そして膝筋肉や体幹筋肉のすべてに集中した負荷がかけられる。さらに、縄跳びが高齢者における骨粗鬆症のリスクを低減することも分かっている。
【０００３】
その実質的な有益効果に加えて、専門家によれば、縄跳び運動には時間と空間の制約がなく、わずか１０分間ほどの運動によって十分な運動運動効果を得ることができるので、縄跳びは生涯の健康体力を維持増進するために最適な運動である。実際に、縄跳びは、体重調整が必要なボクサー、競技に勝つために肺活量を増やす必要があるスポーツ選手、あるいは筋力の持久力とアジリティが必要なテニスの選手やアイススケート選手に最も推奨できる運動トレーニングプログラムの１つである。
【０００４】
前述のように既存の縄跳びは多くの面で有利かつ効果的な運動ではあるが、残念ながら既存の縄跳びにはいくつかの欠点、例えば縄跳びでは一般に、屋内における天井の高さや照明器具が縄跳びの縄を運動者の身長を超える高さで回す上で障害となることから、屋内での使用が困難であるという欠点がある。加えて、縄跳びをアパートのような複合式住宅で使用する場合には、縄跳び運動時に発生する振動や騒音のために空間的な制約を受ける場合もあることから、縄跳び運動は主に屋外活動として行われており、そのために天候の影響を非常に受けやすい。
【発明の概要】
【発明が解決しようとする課題】
【０００５】
前記従来の縄跳びの問題点を未然に防ぐために本発明は、使用者が実際の縄跳びの縄を使用せずに屋内でも実際の縄跳びをしているかのように縄跳び運動やロープスキッピングを行えると同時に、前記従来の縄跳びと同等の運動によるフィットネス効果を実現する縄跳び運動装置を提供する。
【０００６】
また、本発明は、走行運動と縄跳び運動の組み合わせ運動（走り縄跳び）を行うように構成された縄跳び運動装置を提供する。
【課題を解決するための手段】
【０００７】
本発明の一態様によれば、縄跳び運動装置が提供され、該装置は、互いに間隔をおいて本体フレームに回転自在に取り付けられる第１回転軸および第２回転軸と、前記第１回転軸を回転させる第１駆動部と、前記第１回転軸および前記第２回転軸に沿って無限軌道運動するように構成されるベルトと、を含む回転ベルトユニットと；前記第１回転軸と前記第２回転軸とを接続するコード（ベルト）が地面（床面）に対して上方に傾斜するように前記本体フレームを支持するベースフレームと；その外周上に帯状に形成され、運動者（使用者）が前記回転ベルトに対向する位置で跳躍運動を行うときに前記ベルトから識別できるとともに縄跳びの縄が回っているかのように見え、かつ前記ベルトの回転方向に対して直角方向に互いに間隔をおいて設けられる複数の識別帯と、からなる。
【０００８】
前記識別帯は前記ベルトの塗装に使用する第１色とは異なる第２色で塗装され、好ましくは、前記本体フレームは、運動者（使用者）が前記本体フレームの前記ベースフレームに対する傾斜角度を制御することにより前記ベルト上で走行運動を行えるように前記ベースフレームに回転自在に連結される。
【０００９】
前記運動装置は、前記本体フレームから延出して前記ベースフレームに対して回転自在に支持されるヒンジ軸上に設けられる従動ギアを含む第２駆動部と、前記ベースフレームに設置される駆動モータと、前記駆動モータの回転軸上に設けられて前記従動ギアに係合する駆動ギアと、をさらに具備してもよく、前記ベースフレームは、互いに所定の間隔をおいて互いに平行に延出する第１および第２支持部材と、前記第１および第２支持部材間に取り付けられて走行運動空間を提供するパネル状のジャンピングボードと、前記第１および第２支持部材の上面からそれぞれ所定の長さで上方に延出する第１および第２サブフレームと、を含み、前記運動装置は、前記ジャンピングボード上で走行運動中の運動者（使用者）によって握持されるように前記第１および第２サブフレームに面対向して設置されるとともに走行運動中の運動者（使用者）が回転できるように前記第１および第２サブフレームに対して伸縮可能に設置される一対のハンドルと、運動者（使用者）が縄跳びをしているかのように前記ジャンピングボード上で走行運動を行うときに前記ベルトの回転速度に応じて音響効果を付与する音響部と、をさらに具備する。
【発明の効果】
【００１０】
本発明に係る縄跳び運動装置は、屋内で縄跳び活動の現実的なシミュレーションを行うことができ、運動者（使用者）が跳躍運動や走行運動を選択的に行うことができるという有益性と利点を有する。
【図面の簡単な説明】
【００１１】
【図１】本発明の一実施形態に係る運動装置の斜視図である。
【図２】図１に示す運動装置の断面図である。
【図３】図１に示す運動装置の操作機構を説明するブロック図である。
【図４】本発明の別の実施形態に係る運動装置の部分断面斜視図である。さらに、
【図５】本発明の別の実施形態に係るハンドル部を説明する図である。
【図６】本発明の別の実施形態に係るハンドル部を説明する図である。
【発明を実施するための形態】
【００１２】
以下、本発明の一実施形態に係る運動装置を前記図面を参照してさらに詳細に説明する。
【００１３】
図１から図３を参照すると、前記運動装置１００は、回転ベルトユニット１０と、前記回転ベルトユニット１０を回転自在に支持するベースフレーム３０と、前記回転ベルトユニット１０のベルト１９上に設けられる複数の識別帯２０と、を含む。
【００１４】
前記回転ベルトユニット１０は、本体フレーム１１と、前記本体フレーム１１に回転自在に取り付けられる第１回転軸１６と、前記第１回転軸１６と間隔をおいて前記本体フレーム１１に回転自在に取り付けられる第２回転軸１８と、前記第１回転軸１６を回転させる第１駆動部２１と、前記第１回転軸１６と前記第２回転軸１８とに沿って無限軌道運動するように構成されるベルトと、を含む。
【００１５】
前記本体フレーム１１は、互いに所定の間隔をおいて互いに平行に延出する第１および第２細長部材１２，１３と、前記第１および第２細長部材１２，１３間に連結されて回転ベルト１９を支持するボード（図示せず）と、前記第１および第２細長部材１２，１３のいずれかの側面に設けられて後述する第１駆動部２１の第１駆動モータ２２を支持するモータ支持パネル１４と、を含む。
【００１６】
前記第１および第２細長部材１２，１３は、それぞれ内部空間を有し、後述するように前記ベースフレーム３０の第１および第２支持部材３１，３２にヒンジ連結した外向きに延出するヒンジ軸４１で接続され、前記ボードは、前記本体フレーム１１に連結されて運動者（使用者）が前記ベルト１９上で走行運動を行うときに運動者（使用者）の重量による前記ベルト１９の過剰な撓みを防止するように前記ベルト１９を支持する。加えて、前記ベースフレーム３０のジャンピングボード３４上に形成されたストッパ溝３５に連結されるストッパ突起１５が、後述するように前記第１および第２細長部材１２，１３のそれぞれに設けられている。
【００１７】
前記第１回転軸１６は、前記第１および第２細長部材１２，１３の各一側に回転自在に連結され、前記第１細長部材１２に連結された一側に被駆動プーリ１７を含む。
【００１８】
前記第２回転軸１８は、前記第１および第２細長部材１２，１３の各他側に回転自在に連結され、前記第１回転軸１６と所定の間隔をおいて設けられる。
【００１９】
前記第１駆動部２１は、前記第１回転軸１６を回転駆動して前記ベルト１９を駆動し、さらに、前記モータ支持パネル１４に設置される第１駆動モータ２２と、前記第１駆動モータ２２の回転軸上に設置される駆動プーリ２３と、前記駆動プーリ２３と前記第１回転軸１６の被駆動プーリ１７とを接続する駆動ベルト２４と、を含むが、前記駆動プーリ２３は前記第１細長部材１２の内部空間に設置されるので、前記駆動プーリ２３と前記駆動ベルト２４と前記被駆動プーリ１７とは外部から見えないようになっている。
【００２０】
前記ベルト１９は、前記第１回転軸１６と前記第２回転軸１８とに連結され、前記第１回転軸１６により無限軌道運動を行い、複数の識別帯２０が、互いに間隔をおいて前記ベルト１９の外周に所定の間隔で形成されている。ここで、前記識別帯２０は前記ベルト１９とは異なる色で塗装される。前記識別帯２０は、前記本体フレーム１１が上下に回動し、かつ前記ベルト１９が駆動される際に前記ベルト１９から識別できるとともに縄跳びの縄が回っているかのように見える帯状でその外周上に形成され、かつ前記ベルト１９とは異なる色で塗装されることから、前記識別帯２０と前記ベルト１９との目視による識別がさらに容易になっている。例えば、前記ベルト１９が黒色に着色される場合、前記識別帯２０は、前記ベルト１９と前記識別帯２０とを確実に識別するように好ましくは白色または黄色に着色するか、あるいは、前記ベルト１９が有彩色に着色される場合、前記識別帯２０には好ましくは異なる色、すなわち前記識別帯２０色の補色を塗布する。
【００２１】
本実施形態では、前記識別帯２０はいかなる形状制限もなしに塗装することにより前記ベルト１９の外周上に形成されているが、前記識別帯２０は、特定の形状をなすように刻装またはエンボス加工により前記ベルト１９の外周上に形成することもできる。加えて、前記識別帯２０は、肉眼で前記ベルト１９から明確に識別できる限り、さまざまな方法で形成してもよい。
【００２２】
前記ベースフレーム３０は、地面（床面）に設置されて前記本体フレーム１１を回動自在に支持し、さらに、互いに所定の間隔をおいて互いに平行に延出する第１および第２支持部材３１，３２と、前記第１および第２支持部材３１，３２の間に取り付けられて走行運動空間を提供するパネル状のジャンピングボード３４と、前記第１および第２支持部材３１，３２の上面からそれぞれ所定の長さで上方に延出する第１および第２サブフレーム３６，３７と、前記第１および第２細長部材１２，１３が連結されている前記第１および第２支持部材３１，３２の各一側から上方に延出する第３サブフレーム３８と、を含む。
【００２３】
前記第１および第２細長部材１２，１３は第１および第２支持部材３１，３２にそれぞれヒンジ連結し、運動者（使用者）の走行運動または跳躍運動時に発生する振動の地面（床面）への伝達を抑制する抗振動部材３３が前記第１および第２支持部材３１，３２下に設けられており、前記抗振動部材３３はかかる振動を吸収することから、本発明の運動装置はアパートなどの複合式住宅のような屋内でさえも設置して使用することができる。
【００２４】
前記本体フレーム１１を前記ベースフレーム３０に対して回動させる前記第２駆動部４０は、前記第１細長部材１２に連結された前記第１支持部材３１に設置され、前記第２駆動部４０は、前記第１細長部材１２から延出して前記第１支持部材３１の外側に向かって突出するヒンジ軸４１と、前記突出するヒンジ軸４１の端部に設けられる従動ギア４２と、を含み、第２駆動モータ４３が前記ヒンジ軸４１に隣接して前記第１支持部材３１に設置されており、前記従動ギア４２に係合する駆動ギア４４が前記第２駆動モータ４３の回転軸上に設けられている。
【００２５】
前記第２駆動モータ４３が作動すると、前記駆動ギア４４は前記従動ギア４２を回転させて前記本体フレーム１１を前記ベースフレーム３０の一側または他側に回動させる。前記第１支持部材３１の外側に露出する前記駆動ギア４４と前記従動ギア４２とを保護する保護キャップ４５が、前記第１支持部材３１に設置されて前記駆動ギア４４と前記従動ギア４２との破損を防止したり、それらとの接触に起因する安全事故から人体を保護している。
【００２６】
前記ジャンピングボード３４は前記第１および第２支持部材３１，３２間に設けられて運動者（使用者）に走行空間を提供し、運動者（使用者）が前記ジャンピングボード３４上で運動する際に発生する振動は、前記第１および第２支持部材３１，３２のそれぞれとあいまって前記ジャンピングボード３４と前記抗振動部材３３とによって打ち消される。前記ジャンピングボード３４は好ましくは運動者（使用者）の跳躍運動時にかかる負荷に耐え、その振動を吸収することができる材料で形成される。図示していないが、衝撃緩衝マットを前記ジャンピングボード３４の上にさらに設けて運動者（使用者）の跳躍運動時に運動者（使用者）の身体にかかる衝撃を最小限に抑えることもできる。さらに、前記ストッパ溝３５は前記ジャンピングボード３４の上面一側に形成される。換言すると、前記本体フレーム１１が走行運動を実行するために回動する際に、前記ストッパ溝３５は、前記第１および第２細長部材１２，１３のそれぞれに設けられた前記ストッパ突起１５に連結されて前記本体フレーム１１と前記ベースフレーム３０とが互いに安全確実に連結できるようにしている。運動者（使用者）が走行運動を行う際、前記ストッパ突起１５と前記ストッパ溝３５とは、運動者（使用者）の運動時にかかる運動者（使用者）自身の体重と振動のために破損する傾向があるので、好ましくはウレタンゴムで被覆する。
【００２７】
前記第３サブフレーム３８は、前記本体フレーム１１とあいまって前記ベースフレーム３０の各一側から所定の長さで上方に延出するように形成され、前記第３サブフレーム３８の上面には、前記ベルト１９の回転速度が表示される表示部を含む制御盤４６と、前記ベルト１９の回転速度を制御する制御スイッチと、前記第２駆動モータ４３を作動させて前記本体フレーム１１を回動させる駆動スイッチとが設けられている。
【００２８】
前記運動者（使用者）が前記制御盤４６の表示部に表示される情報に基づいて前記制御スイッチと前記駆動スイッチを操作して前記ベルト１９の速度と運動の種類とを選択すると、前記制御盤４６に内蔵されたコントローラは前記情報に対応する前記入力信号に応じて前記第１２２駆動モータと第２駆動モータ４３とを作動させる。
【００２９】
前記第１および第２サブフレーム３６，３７は、前記第１および第２支持部材３１，３２の上面から所定の長さで上方に延出するので、運動者（使用者）が前記ハンドル５０を握持して前記ジャンピングボード３４上で走行運動中に縄跳びと同じ姿勢をとれるようにする一対のハンドル５０を含む。さらに、前記制御盤４６は、上方に延出する前記本体フレーム１１で妨害されていることから、運動者（使用者）にとって跳躍運動中に前記制御盤４６に接近する（手を伸ばす）ことは容易ではないため、前記前記ベルト１９の回転速度を制御する制御スイッチを含む補助制御盤４７が前記第２サブフレーム３７上に設置されている。
【００３０】
前記ハンドル５０は、前記第１および第２サブフレーム３６，３７に取り付けられ、運動者（使用者）が前記ジャンピングボード３４上で跳躍運動時に手で握持することができるように構成される。実際の縄跳び運動の場合、運動者は縄跳び縄の両端に設けられた前記ハンドル５０で縄跳びの縄を保持し、縄跳びの縄をその頭上に回してから連続動作で足の下に回し、縄跳びの縄が足の下を通過するたびに跳躍動作を行う。よって、運動者（使用者）が本発明に係る運動装置１００上で跳躍運動を行う際に、運動者（使用者）は前記第１および第２サブフレーム３６，３７に設けられた前記ハンドル５０を握持して実際の縄跳び運動の場合と同じ姿勢をとることができる。この目的のために、前記ハンドル５０は、運動者（使用者）の手で容易に握持することができるように前記固定部５１から延出するコード５２と、前記接続コード５２の各一端に形成された握持部５３を接続する前記第１および第２サブフレーム３６，３７に固定された固定部５１と、を含む。
【００３１】
前記運動装置１００は、縄跳びの縄を回すときに縄が地面を叩く音と同じような音響効果を発生するスピーカー４９をさらに含む。
【００３２】
前記スピーカー４９は、前記制御盤４６に内蔵された前記コントローラから送信される信号に基づいて縄跳びの縄を回すときに生じるような回転音と、縄跳びの縄が地面を叩くときに生じるような打撃音とを発生し、コントローラ４８は、その回転音と打撃音との再生間隔を前記ベルト１９を回転させる前記第１駆動モータ２２の回転速度に応じて制御する。つまり、前記第１駆動モータ２２が高速で回転する場合には前記ベルト１９も高速回転し、前記ベルト１９上で表示される前記識別帯２０の移動速度もまた高くなる。その結果、前記スピーカー４９から出力される回転音と打撃音との再生間隔も短縮されて縄跳び音響効果を実現し、縄跳びの縄をより速く回すことで生じる音を出力する。
【００３３】
上記のように、前記ハンドル５０と、前記スピーカー４９から発生する音響効果と、前記ベルト１９に形成された前記識別帯２０とは、実際の縄跳びの縄を使用せずに実際の縄跳びと同じ運動効果を与え、それを運動者（使用者）に感じさせる。
【００３４】
図４を参照すると、一対のハンドル６０は、内部空間と、前記ハウジング６１の内部空間に伸縮可能に設置された拡張可能部６６と、前記拡張可能部６６に設置された握持部材７１と、を有するハウジング６１をそれぞれ含む第１および第２サブフレーム３６，３７に連結することもできる。
【００３５】
前記ハウジング６１は、互いに係合する上部部材６２と下部部材６４とを含み、前記下部部材６４は、前記拡張可能部６６のスプリング６８が連結されている連結フック６５を有し、前記上部部材６２は、前記下部部材６４に接合されて前記拡張可能部６６を設置するための内部空間を形成し、かつ前記内部空間を前記外側空間に連通する所定の直径を有する貫通孔６３を有する。
【００３６】
前記拡張可能部６６は、前記内部空間に位置決めされる可動部材６７と、その各一端が前記可動部材６７に接続され、かつその他端が前記下部部材６４の連結フック６５に接続される複数のスプリング６８と、を含み、前記可動部材６７は前記ハウジング６１に前記スプリング６８によって接合されるため、前記可動部材６７に外力が加わると、前記可動部材６７は前記外力方向に移動し、その外力が解除されると、前記可動部材６７は前記スプリング６８の復元力で元の位置に復帰する。
【００３７】
前記握持部材７１は前記拡張可能部６６のヒンジ部材６９により前記可動部材６７に回転自在に接合され、前記上部部材６２の貫通孔６３を介して前記ハウジング６１の外側に延出し、前記ヒンジ部材６９は、前記握持部材７１を下方に延出するか、または対向する第１および第２サブフレーム３６，３７に向かって延出してそれを運動者（使用者）が握持できるように回動させる。すなわち、前記ヒンジ部材６９は、前記握持部材７１を下方に延出するように回動させて、前記本体フレーム１１の回動時や運動者（使用者）の走行運動時に前記握持部材７１が記本体フレーム１１の回動や運動者（使用者）の走行運動を妨げることを防止する。
【００３８】
運動者（使用者）が走行運動を行う際、前記ハンドル５０の各握持部材７１は、運動者（使用者）によって回動握持されて両方向に延出し、各前記握持部材７１の回動を制限するストッパ７０が前記ヒンジ部材６９上に形成されているので、前記握持部材７１は両方向に延出できる空間的範囲内でのみ回動することができる。
【００３９】
運動者（使用者）が前記握持部材７１を握持して走行運動を行う際、各前記握持部材７１に接合された前記可動部材６７は前記ハウジング６１内で前記スプリング６８により伸縮可能に動作させることができ、加えて、前記握持部材７１を突出させるために、前記上部部材６２に設けられた前記貫通孔６３の直径は各前記握持部材７１の直径を超えるように構成されるので、各前記握持部材７１は、運動者（使用者）の運動動作に応じて前記貫通孔６３が形成された範囲内で柔軟に動作することができる。
【００４０】
図５と図６は本発明の別の実施形態に係るハンドル部８０を説明する図である。
【００４１】
本発明の現実施形態に係るハンドル部８０は、使用者の手によって握持される一対の握持部８１と、前記各握持部８１から所定の長さで延出する回転ロープ８２と、を含む。
【００４２】
前記回転ロープ８２は、前記従来の縄跳びの縄とは異なり、互いに接続されていないので、前記縄跳び縄の回転が運動者（使用者）の身体に絡まるために停止するようなことを防止できると同時に、実際の縄跳びのような跳躍運動効果を実現する。
【００４３】
加えて、本発明の現実施形態に係るハンドル部８０は、前記回転ロープ８２の回転速度を測定するために、その一側に速度センサ８４を含むこともできる。指示線８３が、前記速度センサ８４が設置されている握持部８１を有する前記ハンドル部８０から延出する前記回転ロープ８２部位に形成されており、前記回転ロープ８２が回転されると、前記回転ロープ８２の位置は前記速度センサ８４の前面点に対応する。
【００４４】
よって、使用者が前記握持部８１を握持して前記回転ロープ８２を回転させる時に前記指示線８３が所定の時間に前記速度センサ８４の前面を通過する回数に基づいて前記回転ロープ８２の回転速度を測定することができるが、前記回転ロープ８２の回転速度の測定は他のさまざまな方法でも行うことができる。
【００４５】
前記速度センサ８４によって測定された前記回転速度に関する情報はリモートトランスミッター部８５を介して前記コントローラに送信される。前記リモートトランスミッター部８５は、前記速度センサ８４に接続されて前記握持部８１に設置されるトランスミッター８６と、前記制御盤４６に設置されて前記トランスミッター８６から信号を受信するレシーバ８７と、を含む。
【００４６】
前記レシーバ８７で受信された前記回転ロープ８２の回転速度に関する情報は前記コントローラに内蔵された前記制御盤４６に送信される。前記コントローラは、前記回転ロープ８２の回転速度に応じて前記第１駆動モータ２２の駆動速度を調整して前記回転ロープ８２の回転速度に応答する前記識別帯２０の移動速度を変更する。
【００４７】
よって、前記ベルト上の前記識別帯２の移動速度は、使用者の別個の操作なしに前記回転ロープ８２の回転速度に応答して自動的に調整することができる。
【００４８】
本実施形態の残りの要素は図１から図３に示した前実施形態の要素と実質的に同じであるので、対応する同一要素には同一符号を付して、その詳細な説明は省略する。
【００４９】
以下、本発明に係る縄跳び運動装置１００の使用法を図１〜図３を参照して説明する。
【００５０】
縄跳び運動を行おうとする運動者（使用者）が、前記本体フレーム１１を上下に回動させて設定してから前記ベースフレーム３０のジャンピングボード３４上に乗り、次いで、所望の速度で前記ベルト１９を回転させる信号を前記補助制御盤４７を用いて前記コントローラ４８に送信すると、前記ベルト１９は運動者（使用者）の前で回転し、前記ベルト１９の外周上に形成された前記識別帯２０により、運動者（使用者）は視覚的に縄跳びの縄が回っているかのような感じを受ける。前記コントローラ４８は縄跳び縄の回転音と打撃音とを制御して前記スピーカー４９からそれらの音を再生し、それによって運動者（使用者）は前記識別帯２０の移動動作に従って実際の縄跳び運動と同様の跳躍運動を連続的に行うことができる。さらに、跳躍運動を行う運動者（使用者）が前記ハンドル５０の握持部５３を握持すると、前記握持部５３は前記接続コード５２で前記固定部５１に回転自在に連結されていることから、運動者（使用者）に現実的な縄跳び運動の感覚を与える。
【００５１】
走行運動を行おうとする運動者（使用者）が、前記制御盤４６または前記補助制御盤４７のスイッチを介して前記第２駆動モータ４３を作動させることで前記本体フレーム１１を回動させると、前記本体フレーム１１を地面（床面）と平行方向に設定することができ、その状態では前記本体フレーム１１のストッパ突起１５と前記ジャンピングボード３４上に形成されるストッパ溝３５とが互いに係合して運動者（使用者）は前記ベルト１９上で走行運動を行うことができる。
【００５２】
運動者（使用者）が走行運動または跳躍運動を行う際に発生する振動は、前記ベースフレーム３０の抗振動部材３３により打ち消すことができることから、運動者（使用者）は屋内で走行運動や跳躍運動を行うことができる。
【図１】
2010530274.tif 000003
【図２】
2010530274.tif 000004
【図３】
2010530274.tif 000005
【図４】
2010530274.tif 000006
【図５】
2010530274.tif 000007
【図６】
2010530274.tif 000008
【国際調査報告】
2010530274.tif 000009
2010530274.tif 000010